(57)【特許請求の範囲】
【請求項１】
貯水可能な、上部と下部とが流体的に接続し一体成形された電解槽と、
前記電解槽の縦方向と略並行に起立し互いに横方向に対向して、前記電解槽内の下部に配置される、一対の電極と、
電池と、
前記電池からの電力供給をする制御基板と、
を備え、
前記電極は、前記制御基板により前記電池からの電力供給を通電又は遮断され、
前記電解槽の下部には、前記一対の電極の間を通って、前記電解槽の上部と下部との境界から下方に向かって延びる仕切り部材が一体成型されて設けられ、
前記電解槽の下部において、前記一対の電極は流体的に接続されており、
前記仕切り部材で離間された前記一対の電極の一方及び／又は他方と、前記電解槽の上部との気体的な接続を切り替え可能とする開閉手段を備える、
ことを特徴とする、電気分解式水素及び酸素ガス吸引具。
【請求項２】
前記電解槽の下部の、前記一対の電極よりも上方において、前記仕切り部材は板部材で形成され、前記仕切り部材の一面側と他面側との間での流体及び気体の通過を遮断する、
ことを特徴とする、請求項１に記載の電気分解式水素及び酸素ガス吸引具。
【請求項３】
前記開閉手段は、前記電解槽の上部と下部との境界に設けられ、閉じた略平面領域を有する部材であり、前記略平面領域が、使用者の操作に伴って前記電解槽の上部と下部との境界と並行の略平面上を移動する、ことを特徴とする、請求項１又は２に記載の電気分解式水素及び酸素ガス吸引具。
【請求項４】
貯水可能な、上部と下部とが流体的に接続し一体成形された電解槽と、
前記電解槽の縦方向と略並行に起立し互いに横方向に対向して、前記電解槽内の下部に配置される、一対の電極と、
電池と、
前記電池からの電力供給をする制御基板と、
を備え、
前記電極は、前記制御基板により前記電池からの電力供給を通電又は遮断され、
前記電解槽の下部には、前記一対の電極の間を通って、前記電解槽の上部と下部との境界から下方に向かって延びる仕切り部材が一体成型されて設けられ、
前記電解槽の下部において、前記一対の電極は流体的に接続されており、
前記仕切り部材で離間された前記一対の電極の一方側と前記電解槽の上部とは気体的な接続が遮断され、該電極の他方側と前記電解槽の上部とは気体的な接続が開放され、
前記一対の電極のそれぞれに供給される電力の極性を反転させる極性反転手段と、
を備える、
ことを特徴とする、電気分解式水素及び酸素ガス吸引具。
【請求項５】
前記極性反転手段は、
オルタネイト方式のスイッチをＯＮするごとに前記電池から供給される電力の極性を切り替える極性回路を有する、ことを特徴とする、請求項４に記載の電気分解式水素及び酸素ガス吸引具。
【請求項６】
前記極性反転手段は、
スイッチをＯＮ−ＯＦＦ−ＯＮすることで前記電池から供給される電力の極性を切り替える極性回路を有する、ことを特徴とする、請求項４に記載の電気分解式水素及び酸素ガス吸引具。
【請求項７】
前記スイッチはモメンタリー方式である、ことを特徴とする請求項６に記載の電気分解式水素及び酸素ガス吸引具。
【請求項８】
前記一対の電極のそれぞれに供給される電力の極性を反転させる極性反転手段を備える
ことを特徴とする、請求項１〜３のいずれか１項に記載の電気分解式水素及び酸素ガス吸引具。
【発明の詳細な説明】
【技術分野】
【０００１】  本発明は、本発明は、携帯可能かつ所定量の水素ガス又は酸素ガスを選択可能に容易に供給可能な電気分解式水素及び酸素ガス吸引具に関する。
【背景技術】
【０００２】  活性酸素は酸化力が非常に強く、人間の体内に侵入した細菌やウイルスを除去する役割を有する一方で、人間の正常な細胞をも攻撃し、損傷させてしまうことが調べられている。過剰な活性酸素の存在は、正常な細胞を損傷させる可能性を上昇させ、細胞の劣化及び細胞の変異、又はこれに伴う肌の老化などのリスクを発生させる。【０００３】  近年、水素が活性酸素を除去することが研究により明らかになり、健康や美容に効果的であると注目されている。水素と活性酸素との反応では、反応物として水のみを発生するため、人体への悪影響が非常に少ない。従って、特に活性酸素が身体に発生しやすい、運動時や、飲食時、喫煙時、紫外線・汚染環境下での滞在時、睡眠不足、長時間労働等の高いストレスを受けた時等の種々の状態における老化の防止や美容・健康促進のために、水素を身体に取り入れることが推奨されている。【０００４】  また、酸素は細胞のエネルギーを生み出すために用いられ、人体が代謝を行うためには必要不可欠な要素である。酸素の身体の細胞の活性化に注目し、近年、疲労回復、骨折等の病状の自然治癒の促進、血行障害の改善、美容、ストレス解消等のために、酸素を意識的に体内に取り込むことが効果的であるとも調べられている。実際に、スポーツ選手が肉体改造や怪我の治療時に酸素カプセルを使用したり、体力の低下した患者に対して酸素マスクが用いられていること等も知られている。【０００５】  上述のように水素や酸素を身体に取り込むことが注目されていることに加え、さらに、昨今の禁煙ブームによる疑似電子たばこや、副流煙を放出しないたばこ等の市場拡大に鑑みると、健康促進につながる水素及び酸素を手軽に、例えば喫煙形式で摂取する潜在ニーズは大きいものと考えられる。【０００６】  水素及び酸素を発生させる方法として、一般的に水を電気分解する方法が知られている。これは、水溶液に電極を浸し通電させることで、水（Ｈ２Ｏ）を水素（Ｈ２）と酸素（Ｏ２）とに分解する方法であり、入手及び取扱いが簡易な水道水を用いて、他の有害な物質等を発生することなく、水素と酸素のみを得ることができるものである。例えば、特許文献１では、イオン交換膜の両面に一対の電極板を密着させた電気分解板を備えた電解槽に水を入れ通電させることで、水素と酸素とを混合させず発生させることが可能な卓上型等の水素発生装置が開示されている。この水素発生装置では、ユーザが任意に移動させて使用することができるため、据え置きでのみ使用可能な水素発生装置と比して使い勝手が向上するものである。【０００７】  しかしながら、上記卓上型等の水素発生装置では、ある程度小型化されたもののユーザがカバン等に入れて持ち歩くのに適したほどの小型化には至っておらず、また、使用するためにコンセントから電源を確保する必要があり、ユーザが体内に吸引する水素及び酸素ガス吸引具として活用するには、移動範囲には制限があった。また、そもそも水素のみを得る装置であり、酸素を使用者が摂取することを想定しておらず、使用者の健康状態や使用目的によって、水素のみ、酸素のみ又は両方を選択的に摂取したいというニーズには対応できていなかった。  さらに、携帯可能なサイズの器具を想定すると、別部���、別素材であるイオン交換膜を小さいサイズの器具に配設することは、精密な作業や設計必要となり、一般に汎用したいというコストの低減の要求にも応えることができなかった。
【先行技術文献】
【特許文献】
【０００８】
【特許文献１】特開２０１４−０１９６４０号公報
【発明の開示】
【発明が解決しようとする課題】
【０００９】  本発明は、以上の事情に鑑みて創作されたものであり、ユーザが携帯して自由に持ち運べるように充電式で小型かつ安価であり、さらに水素及び酸素を選択的に発生させることが可能な電気分解式水素及び酸素ガス吸引具を提供することを目的としている。
【課題を解決するための手段】
【００１０】
上述の課題を解決するために、本発明の電気分解式水素及び酸素ガス吸引具は、貯水可能な、上部と下部とが流体的に接続し一体成形された電解槽と、前記電解槽の縦方向と略並行に起立し互いに横方向に対向して、前記電解槽内の下部に配置される、一対の電極と、電池と、前記電池からの電力供給をする制御基板と、を備え、前記電極は、前記制御基板により前記電池からの電力供給を通電又は遮断され、前記電解槽の下部には、前記一対の電極の間を通って、前記電解槽の上部と下部との境界から下方に向かって延びる仕切り部材が一体成型されて設けられ、前記電解槽の下部において、前記一対の電極は流体的に接続されており、前記仕切り部材で離間された前記一対の電極の一方及び／又は他方と、前記電解槽の上部との気体的な接続を切り替え可能とする開閉手段を備える、ことを特徴とする。
【００１１】  上述の電気分解式水素及び酸素ガス吸引具によれば、まず、電解槽内に配置された一対の電極は制御基板により通電され、電解槽内の水の分解によって一方の電極（陰極）の周囲近傍において水素が発生し、他方の電極（陽極）の周囲近傍において酸素が発生する。そして、一対の電極の間に延びる仕切り部材によって、水素及び酸素の気泡の混合を阻害し、さらに水素又は酸素の電解槽上部への動きを開閉手段によって制御し、「開」状態では電解槽上部を介して気体を装置外部へと排出し、「閉」状態では気体を電解槽の下部に留めておくことが可能となる。この開閉手段により、電極で発生した水素又は酸素を、選択的に取得することができる。また、本発明は、一体成型された電解槽、電極、電池及び制御板等の簡易な構成であることから、水素及び酸素ガス吸引具を安価かつ携帯可能なサイズとすることができる。【００１２】  また、本発明の電気分解式水素及び酸素ガス吸引具では、前記電解槽の下部の、前記一対の電極よりも上方において、前記仕切り部材は板部材で形成され、前記仕切り部材の一面側と他面側との間での流体及び気体の通過を遮断することが好ましい。【００１３】  上述の電気分解式水素及び酸素ガス吸引具によれば、電極周囲近傍で発生した水素及び酸素は、気泡が水溶液中では上方に移動することを考慮して、電極より上方における水溶液を通じての水素及び酸素の気泡の混合をさらに防止することが可能となる。【００１４】  前記開閉手段は、前記電解槽の上部と下部との境界に設けられ、閉じた略平面領域を有する部材であり、前記略平面領域が、使用者の操作に伴って前記電解槽の上部と下部との境界と並行の略平面上を移動する、ことを特徴としてもよい。【００１５】  上述の電気分解式水素及び酸素ガス吸引具によれば、開閉手段が平面上を平行移動することで、電解槽の上部と下部との境界に形成される開口を選択的に開閉する。すなわち、部材が面上を移動するというシンプルな機構であるため、水の抵抗を受けにくく、手動の場合は使用者にとって容易な手力での開閉が可能であり、また、機具にかかる力学的負荷も少ないため、部材の耐久性の向上や、部材のコスト面を低く抑えることが可能である。【００１６】
また、本発明の電気分解式水素及び酸素ガス吸引具では、前記電池は、前記電解槽の縦方向に並行に配置され、前記電池の上方には、芳香ガス発生のオンオフ制御がされる芳香ガス発生部材が配置され、芳香ガスが前記電解槽から放出される気体と合流する流路を有しても良い。
【００１７】  上述の電気分解式水素及び酸素ガス吸引具によれば、電池と芳香ガス発生部材とを電解槽と並列に配置することで小型かつ手に持ちやすい形状で携帯性が向上し、使用者が水素及び酸素を選択的に摂取可能である。さらに使用者の好みで芳香付きの水素又は酸素を楽しむことも可能であることから、既存の芳香付き電子たばこを使用する使用者が違和感なく、さらに健康増進機能を有するものとして、乗り換える製品を提供することができる。【００１８】
また、本発明の電気分解式水素及び酸素ガス吸引具では、前記開閉手段は、制御板によって制御されても良い。
【００１９】  上述の電気分解式水素及び酸素ガス吸引具によれば、手動の煩雑な操作によらず、例えばタッチ等の簡易な操作によって制御板に操作信号を送ることで開閉手段を動作でき、水素と酸素とを選択的に発生させることが容易となる。【００２０】
また、他の本発明の電気分解式水素及び酸素ガス吸引具は、
貯水可能な、上部と下部とが流体的に接続し一体成形された電解槽と、
前記電解槽の縦方向と略並行に起立し互いに横方向に対向して、前記電解槽内の下部に配置される、一対の電極と、電池と、前記電池からの電力供給をする制御基板と、
を備え、
前記電極は、前記制御基板により前記電池からの電力供給を通電又は遮断され、前記電解槽の下部には、前記一対の電極の間を通って、前記電解槽の上部と下部との境界から下方に向かって延びる仕切り部材が一体成型されて設けられ、前記電解槽の下部において、前記一対の電極は流体的に接続されており、前記仕切り部材で離間された前記一対の電極の一方側と前記電解槽の上部とは気体的な接続が遮断され、該電極の他方側と前記電解槽の上部とは気体的な接続が開放され、前記一対の電極のそれぞれに供給される電力の極性を反転させる極性反転手段と、を備える。
【００２１】  この電気分解式水素及び酸素ガス吸引具では、上述する電気分解式水素及び酸素ガス吸引具では、開閉手段により電極で発生した水素又は酸素を、選択的に取得できるようにしたが、上記本発明の他の電気分解式水素及び酸素ガス吸引具では、水素又は酸素を、選択的に取得の方法として各電極への電力の極性を反転させ、一方の電極側の上方を閉鎖することで電解槽の上方に放出される気体を水素又は酸素のどちらかにすることで水素又は酸素の選択的取得を可能としている。この方法によれば制御基板又は別途の電力供給回路に極性反転回路（極性反転手段）を設けるだけで電気的に水素又は酸素の選択的取得を行うことができる。【００２２】  また極性反転手段は具体的に、オルタネイト方式のスイッチをＯＮするごとに前記電池から供給される電力の極性を切り替える極性回路を有するケースが考えられる。【００２３】  「オルタネイト」方式のスイッチとは、ボタンを押した後に手を放してもＯＮ状態を保持する方式であり、この場合、一旦ボタンを押してＯＮにするとそのまま水素又は酸素を放出し続け、再度、ボタンを押すと酸素を放出することができる。【００２４】  前記極性反転手段の他の例としては、スイッチをＯＮ−ＯＦＦ−ＯＮことで前記電池から供給される電力の極性を切り替える極性回路を有する、ことも考えられる。【００２５】  この極性反転手段の場合、別途電力ＯＦＦのスイッチを設ける必要がなく、例えば１回目のＯＮで水素、２回目のＯＮで酸素、３回目のＯＮで再び水素を放出することが可能である。この例の場合、前記スイッチはモメンタリー方式であっても良く、ボタンを押している間のみ水素又は酸素を放出ことができる。【００２６】  なお、前記一対の電極のそれぞれに供給される電力の極性を反転させる極性反転手段は、上述する閉鎖手段を用いて水素及び酸素を選択的取得する本発明にも活用することができる。【００２７】  水素・酸素の放出・停止を短時間で行いたいときには極性反転回路を作動させ、一気に停止させることができるからである。したがって、水素・酸素の摂取量や摂取時間を精緻にコントロールしたい場合に有利である。
【発明の効果】
【００２８】  本発明によれば、使用者が携帯して自由に持ち運べ、水素又は酸素を選択的に取得可能な電気分解式水素及び酸素ガス吸引具を提供することができる。この電気分解式水素及び酸素ガス吸引具によれば、使用者は、場所を問わず気軽に、使用者の健康状態や使用目的に応じて水素と酸素とを選択して（又は両方同時に）体内に摂取することができる。
【図面の簡単な説明】
【００２９】
【図１】本発明の電気分解式水素及び酸素ガス吸引具の各部材について例示する組立分解図である。
【図２】図２は図１の本発明の電気分解式水素及び酸素ガス吸引具の各方向から見た図を示しており、（ａ）は左側面図、（ｂ）は正面図、（ｃ）は右側面図、（ｄ）は底面図、（ｅ）は天面図を示している。
【図３】図１〜図２の本発明の電気分解式水素及び酸素ガス吸引具を図２（ｃ）のラインＡ−Ａに沿った断面図を示している。
【図４】本発明の電気分解式水素及び酸素ガス吸引具の電解槽の下部分を示す図であり、図２（ｂ）のラインＢ−Ｂに沿った断面図に相当する図のうち電解槽の下部分を示している。
【図５】（ａ）、（ｂ）ともに、図４における、水素及び酸素等の移動についての模式図を示している。
【図６】（ａ）、（ｂ）ともに、図４における、他の仕切り部材を採用した場合の水素及び酸素の移動の例の模式図を示している。
【図７】（ａ）、（ｂ）、（ｃ）いずれも、本発明の電気分解式水素及び酸素ガス吸引具の、仕切り部材の他の実施形態を示している。
【図８】（ａ）は本発明の電気分解式水素及び酸素ガス吸引具の他の実施例の、電解槽の下部分の開口の天面図、（ｂ）開閉手段の天面図、（ｃ）（ａ）に（ｂ）を取り付けた一例の天面図を示している。
【図９】（ａ）は本発明の電気分解式水素及び酸素ガス吸引具の他の実施例の、電解槽の下部分の開口の天面図、（ｂ）開閉手段の天面図、（ｃ）（ａ）に（ｂ）を取り付けた一例の天面図を示している。
【図１０】本発明の電気分解式水素及び酸素ガス吸引具の他の実施例の、（ａ）と（ｂ）とは開閉手段の天面図、（ｃ）と（ｄ）とは電解槽の下部分の開口の天面図を示している。
【図１１】第二の本発明の水素及び酸素ガス吸引具の実施形態が図４〜図５の変形例として示されている。
【図１２】極性反転手段（極性反転回路）の一例であり、（ａ）には極性反転前、（ｂ）には極性反転後の様子が示されている。
【図１３】極性反転手段（極性反転回路）の他の例が示されている。
【発明を実施するための形態】
【００３０】  以下に、本発明の電気分解式水素及び酸素ガス吸引具の実施形態の代表例を、図１〜６を参照しながら詳細に説明する。なお、本発明の電気分解式水素及び酸素ガス吸引具は、図示されるものに限られず、また図示及び説明の内容を一般常識の範囲内で改変したものをも含むことはいうまでもない。また各図は、容易な理解のために、必要に応じて寸法、比又は数を誇張して表示している場合もある。
【００３１】  上述のように、本発明の電気分解式水素及び酸素ガス吸引具は、発生させた水素と酸素を区分する主構成である仕切り部材及び開閉手段を備えることを特徴のひとつとしている。  本発明を説明するにあたって、簡単な理解のために、まず、「仕切り部材及び開閉手段を除く」構成について図１〜３を用いて詳細に説明し、その後、図４〜６を用いて、「仕切り部材及び開閉手段の構成」について、詳細に説明する。
【００３２】  図１は、本発明の電気分解式水素及び酸素ガス吸引具１００の各部材について例示する組立分解図である。また、図２は図１の電気分解式水素及び酸素ガス吸引具１００の各方向から見た図を示しており、（ａ）は左側面図、（ｂ）は正面図、（ｃ）は右側面図、（ｄ）は底面図、（ｅ）は天面図を示している。本明細書において上下方向、縦方向と称するときは（ｂ）の紙面上下方向、紙面縦方向を意味し、幅方向、横方向、側部側と称するときは（ｂ）の紙面左右方向、紙面横方向、紙面左右側部側を意味している。
【００３３】  また、図３は図１〜図２の電気分解式水素及び酸素ガス吸引具１００を図２（ｃ）のラインＡ−Ａに沿った断面図を示している。  以下、電気分解式水素及び酸素ガス吸引具１００について図１の組立分解図を主として参照しつつ説明し、説明の便宜上、他の図面について言及することとする。
【００３４】  前述するように図１は本水素及び酸素ガス吸引具１００の各部材の構成例を示したものである。本体カバー１は、上方に開口し、該開口から縦方向に電池３６全体を挿入・内蔵する電池受容部４３と、電池受容部４３と縦方向に並列し電解槽１０の下部の縮径部４５を上方から挿入し嵌合できる形状を有する電解槽受容部４４と、を設けた樹脂製のケースである。なお、ここで使用する電池３６は充電式リチウム電池が好ましい。
【００３５】  本体カバー１は電池受容部４３側が長く、電解槽受容部４４側が上部が側方に傾斜するように切り取られた形状を有している。電池３６を本体カバー１の底部は、本体ボトムカバー６を蓋部材として電池受容部４３の底部を開放・閉鎖可能であり、組み立て時には電池３６を底部から挿入した後に本体ボトムカバー６で電池受容部４３の底部を閉鎖する。本体ボトムカバー６は十字穴付きネジ３８で閉鎖される。また、本体カバー１は電池受容部４３の側部両側で縦方向に電池３６を挟むように２枚の制御基板（電子基板）３３、４２が配設するスペースが設けられており、本体カバー１の側面側の制御基板３３は主制御基板であり、吸引部３２（芳香発生装置）とメッシュ電極１７（電極板）とへの電力供給を行う電解槽１０側の制御基板４２とへの電池３６からの電力供給を制御する。
【００３６】  本体カバー１の側面には長手方向側面に沿って化粧板９が装着され、化粧板９には上方から順に、制御基板３３への操作ボタン３５を覗かせるボタン穴９ａ、ＬＥＤ基板３０からの光照射のためのＬＥＤ用孔９ｂ、外部電源から電池３６を充電するコネクタを接続させるための充電コネクタ用孔９ｃが設けられている。
【００３７】  操作ボタン３５を３回押すと制御基板３３で電力供給信号が制御基板４２に送信され、制御基板４２により電池３６の電力が基板コネクタ用ハウジング３１、圧着基板２８を介して一対のメッシュ電極（電極板）１７に所定時間供給される。メッシュ電極１７に電力供給されると制御基板３３ではＬＥＤ基板３０に電力供給信号を送信し、ＬＥＤ基板３０はＬＥＤを発光させる。これによりユーザは水素又は酸素ガス発生状態になっていることをＬＥＤ用孔９ｂにより視認することができる。なお、操作ボタン３５を３回押すことをメッシュ電極１７への電源供給の条件としたのはこの水素及び酸素ガス吸引具１００をユーザがポケット等に投入して移動する際に、意図せずボタン操作し、電力供給されることを回避する安全条件である。
【００３８】  メッシュ電極１７は、２枚一対に上方に向かって長手に並列配置され、それぞれ陽陰極を形成し、電池３６の陽陰極からの電力に対応する。また、メッシュ電極１７の上端は電解槽１０の縮径部４５と貯水本体部４６との境界線に対応するように斜めに切り取られた形状を有する。メッシュ電極１７の下端は、端子基板２８に起立させ電気的に接続できるように棒形状のチタン電極１６が連結されている。メッシュ電極１７を起立させた状態でメッシュ基板１７と端子基板２８とを遮水するために端子基板２８上に装着するパッキン１３（シリコン等の樹脂製）とチタン電極１６の周囲に取り付けるＯリング（シリコン等の樹脂製：以下、Ｏリングは同様）とが設けられている。
【００３９】  電解槽１０は貯水用容器であり、下方から順に、縮径部４５と貯水本体部４６とが一体に形成され、互いに内部で流体的に接続している。貯水本体部４６は上方に開放されて注水可能になっており、電解槽蓋１２を取り付けることで半閉鎖される。電解槽蓋１２は上下に貫通し、アンブレラバルブ２３やスクリューキャップ１４等を受容する貫通開口１２ａが設けられている。貯水本体部４６は、図３に示すように外側部４６ａが上端から下端に亘って横方向に略平坦な側壁を形成し縮径部４５の上端にそのまま連結し、本体カバー１側の内側部４６ｂは上端から中央下方位置までは外側部４６ａに平行に形成され、中央下方位置から折れ曲がって傾斜する底部４６ｃを有する。底部４６ｃは横方向中間位置まで延びて、縮径部４５の上端に連結する。
【００４０】  また、縮径部４５は、上述するように貯水本体部４６より細くなっており、図３に示すように側壁側の外側部４６ａの上端は、貯水本体部４６の外側部４６ａの下端にそのまま連続連結して下端まで延びており、本体カバー１側の内側部４５ｂの上端は、貯水本体部４６の底部４６ｃの先端（縁部）の位置で下方向に屈曲して連結して内側部４５ｂと平行に下端まで延びている。
【００４１】  さらに、貯水本体部４６の外側部４６ａの下端と縮径部４５の外側部４６ａの上端との連結位置では、貯水本体部４６の底部４６ｃと略同一傾斜し開口４５ｃまで延びる遮水板４５ｄが設けられている。この遮水板４５ｄは図３の紙面垂直方向全域内部に亘って延びている。したがって、電解槽１０内に溜まっている水溶液が電気分解され貯水量が減った場合であっても常時、縮径部４５の内部略全域に水が貯留することとなる。具体的には貯水量が減って電解槽１０内に一部空気層ができた際に、まず貯水本体部４６より縮径部４５が細いため通常の起立状態では、よほど貯水量が減らない限り縮径部４５は水が充満しており空気層が発生することはない。
【００４２】  さらにある程度貯水量が減った場合でも本水素及び酸素ガス吸引具１００が傾斜又は横置きした場合に縮径部４５内に空気層が発生することが考えられるが、本電解槽１０の場合はこのような場合でも縮径部４５内に水が充満する。具体的には、例えば、図３の紙面左方向に傾斜した場合には底部４６ｃが邪魔板となり空気層が貯水本体部４６の内側部４６ｂ側に形成される。逆に、図３の紙面右方向に傾斜した場合には遮水板４５ｄが邪魔板となり空気層が貯水本体部４６の外側部４６ａ側のみに形成される。したがって、縮径部４５内に配設されるメッシュ電極１７は常時、全体が水と接触することとなり、ユーザが横向きで吸っているような場合でも水素又は酸素発生量を常に確保することができる。
【００４３】  メッシュ電極１７の上端エッジは、上記縮径部４５及び開口４５ｃの形状に沿って縮径部４５内の水に隙間なく電極が浸るように斜めに切り取られて形成されている。再び図１に戻って電解槽１０の下端は電解槽底１１で閉鎖されるが、電解槽底１１はメッシュ電極１７が挿入される一対の貫通孔が設けられ、電解槽１０の縮径部４５をカバー本体１の電解槽受容部４４に挿入するとメッシュ電極１７が電解槽底１１の貫通孔を通過して縮径部４５内に位置決めされる。
【００４４】  電解槽１０の上端の電解槽蓋１２の貫通開口１２ａに装着されるアンブレラバルブ２３等について説明する。貫通開口１２ａには、上方に開口を有して上下に貫通するスクリューキャップ１４が装着され、その際、スクリューキャップ１４の底部の孔と貫通開口１２ａの底部との間にベントフィルタ１８が介層され、スクリューキャップ１４の下方周囲にＯリング２１が挿入される。ベントフィルタ１８は微小な孔でスクリューキャップ１４の開口内の内圧を調整しながら防水・防塵する機能を有する。また、Ｏリング２１はスクリューキャップ１４の開口の外周壁と貫通開口１２ａの内周壁との間を遮水する。
【００４５】  また、スクリューキャップ１４の開口内には上下方向に動作するアンプレラバルブ２３（シリコン等の可撓性を有する素材製）が取り付けられ、ノズル５（後述）をユーザが吸い込み上方に負圧が作用するとアンプレラバルブ２３が上昇動作し、スクリューキャップ１４の底部の貫通孔、電解槽蓋１２の貫通開口１２ａを介して電解槽１０内と流体的に接続する。したがって、ノズル５を吸い込むと電解槽１０内に上昇貯留している水素又は酸素ガスを外部に放出することとなる。逆にユーザが吸い込みを中断し負圧が作用しない状態になるとアンプレラバルブ２３が下降動作し、スクリューキャップ１４の底部の貫通孔が閉鎖され、電解槽１０内の水素又は酸素ガスの放出を閉鎖する。
【００４６】  スクリューキャップ１４やアンブレラバルブ２０が装着された電解槽蓋１２は、混合器２が上方から取り付けられる。混合器２は、図３が示すように下方に延びる筒状部材２ａを有し、筒状部材２ａの下端をスクリューキャップ１４の開口に挿入することで筒状部材２ａがアンブレラバルブ２３からの水素又は酸素ガスを上方に案内する流路を形成する。この筒状部材２ａの外周壁周りにはＯリング２０が設けられ、スクリューキャップ１４の開口内壁との隙間を封止する。
【００４７】  混合器２と電解槽蓋１２との固定にはロックボタン３、４を取り付けることでなされている。ロックボタン３、４はそれぞれ、混合器２と電解槽蓋１２との上下方向の隙間位置で前後方向（図３の紙面垂直方向）に挟み込んでスナップ留めしている。さらに、図３に示すように混合器２は、その上部でノズル５方向に向かって流路２ｂを設けている。この流路２ｂは、筒状部材２ａで形成された流路と接続しており、図３の矢印に示すように水素又は酸素ガスを案内する。
【００４８】  次に、芳香空気の生成する芳香ヒータ部３２について説明する。まず、本体カバー１の電池受容部４３の上端開口には電池３６の接点端子３７が挿入される。接点端子３７は、大径円筒の底部と小径円筒の上部とか連結して形成され、底部が電池受容部４３の上端の開口に挿入され、電池３６からの電力を芳香ヒータ部３２に供給する。接点端子３７は十字付きの皿ネジ３８で上方からジョイント３７に締結されている。ジョイント３８は小径円筒の底部と大径略円板状の上部とが連結して形成され、接点端子３７の上部がジョイント３８の底部とが入れ子状に嵌め込まれている。
【００４９】  芳香ヒータ部材３２はジョイント８の上面に載置され、上述する混合器２を取り付ける際に、ジョイント８と混合器２とで挟持されて本体カバー１に固定される。芳香ヒータ部材３２は汎用の装置であり、電力が供給されると内部に芳香付き空気が発生し上方に放出される。また、混合器２には前述する筒状部材２ａと並列して下方に延びる筒状部材２ｃが設けられ、この筒所部材２ｃに芳香ヒータ部３２の上端は接続される。したがって、芳香ヒータ部３２から放出される芳香付き空気は、図３の矢印に示すように筒状部材２ｃを通過し、筒状部材２ａを介して流路２ｂを流れてきた水素又は酸素ガスと合流してノズル５に流れ込んでユーザの口内に放出される。
【００５０】  ノズル５は、底部の大径の略円板部材と上部の筒状部材とが一体連結する構造であり、その底部が混合器２のヒータ部３２の筒状部材２ｃと流体的に接続する天面の開口上に装着される。これによって、流路２ｂからの水素又は酸素ガス及び／又は筒状部材２ｃからの芳香付き空気がノズル５内から上端外部に放出されることとなる。なお、ノズル５の底部と混合器２との連結部にはＯリング２２が配設され封止されている。
【００５１】  また、芳香ヒータ部３２は、制御基板３３により電池３６からの電力供給を制御している。上述したようにメッシュ基板１７への電力は本体カバー１に取り付けたボタン３５を３回押すと所定時間供給される。一方、ボタンを長押しすると制御基板３３でメッシュ電極１７への電力供給信号が送信されていないことを条件に接点端子３７を接続し電池３６からの電力が所定時間、芳香ヒータ部３２に供給される。
【００５２】  したがって、ボタン３５を３回押すとユーザがノズル５を吸い込むと水素又は酸素ガスがノズル５から放出され、所定時間（ＬＥＤ基板３０が発光している間）水素又は酸素ガス吸引を楽しむことができ、水素又は酸素ガスが放出されている間に、ボタン３５を長押しすると芳香付きの水素又は酸素ガスを楽しむことができる。
【００５３】  以上、「仕切り部材及び開閉手段を除く構成」について説明した。次に、図４〜６を用いて、本発明の電気分解式水素及び酸素ガス吸引具の電解槽１０内の「仕切り部材及び開閉手段の構成」について説明する。
【００５４】  図４は、本発明の電気分解式水素及び酸素ガス吸引具の電解槽の下部分（縮径部４５）を示す図であり、図２（ｂ）のラインＢ−Ｂに沿った断面図に相当する図のうち縮径部４５を示している。縮径部４５において、底面から一対のメッシュ電極が起立して配置されており、この間を隔てて、仕切り部材５０が配置される。
【００５５】  仕切り部材５０は、縮径部４５と長手方向内側面（紙面手前側及び奥行側）で一体となって連結しており、開口４５ｃを分断するように縮径部４５の上部から、下方に向かって底面に連結することなく延びる板形状の部材である。仕切り部材５０は、液体及び気体を通さない縮径部４５と同様の素材で構成されている。仕切り部材５０により、開口４５ｃは、開口４５ｃ１と開口４５ｃ２の二つの開口に分断され、それぞれ下方の電極から発生する水素又は酸素のみが通過することとなり、さらに、後述する開閉手段によって選択的に開閉され、開口４５ｃ全体として、水素又は酸素の一方又は両方の通過を可能とする。
【００５６】  仕切り部材は、縮径部４５の上部とともに、開口４５ｃ１及びｃ２の形状を任意に構成でき、例えば、仕切り部材の上端と縮径部４５の上部とが一体となって、２つの開口孔（４５ｃ１、４５ｃ２）を備えた、面を形成しても良い。
【００５７】  次に、図５を用いて、図４における水素及び酸素の移動について説明する。図５（ａ）において、電極１７を通電させると、陽電極１７ａの近傍には酸素（Ｏ２）が発生し、陰電極１７ｂの近傍には水素（Ｈ２）が発生する。発生した酸素及び水素は、水よりも比重が軽いため、上方に移動し、それぞれ開口４５ｃ１及び４５ｃ２へと移動する。ここで、仕切り部材５０が電極１７ａ及び１７ｂとの間に配置されるため、酸素及び水素の上方への移動中において、酸素と水素との混合が阻害される。一方で、仕切り部材で仕切られない縮径部４５の下部においては、水（Ｈ２Ｏ）の自由な移動、すなわち酸素及び水素の発生に必要なイオン（「ＯＨ−」及び「Ｈ＋」）の移動が可能である。このように、仕切り部材５０によって、電気分解をしつつ酸素と水素の混合の阻害を達成している。
【００５８】  図５（ｂ）では、後述する開閉手段５２を用いた場合の酸素及び水素の移動についての模式図を示している。開閉手段５２（本模式図では板状の蓋部材であるが、これには限られない）は、手動または電磁的に選択的に開口４５ｃ１又は４５ｃ２を閉じることができる。例えば、開口４５ｃ１を閉じると、図５（ｂ）に示すように、電極１７ａの周囲で発生した酸素は上方へ移動するが、開閉手段５２によって開口４５ｃ１から上方へは移動できず縮径部４５内に留まることとなる。一方で、電極１７ｂの周囲で発生した水素は、開口４５ｃ２から上方へと移動し、最終的に吸引することができる。開閉手段５２を紙面右方向に４５ｃ２上へと移動させると、同様に、水素が縮径部４５内に留まり、酸素は開口４５ｃ１の上方へと移動することができる。また、開閉手段５２を紙面右方向に開口４５ｃ１と４５ｃ２との中央に移動させると、開口４５ｃ１及び４５ｃ２を完全に閉じないため、酸素及び水素の両方が開口４５から上方へと移動することとなる。
【００５９】  図６は、図４における、他の仕切り部材を採用した場合の水素及び酸素の移動の例の模式図を示している。図６（ａ）では、仕切り部材によって、図４よりも上方に水が通過可能な通路が形成されている。この例では、縮径部４５の下部に通路が設けられるため、上方に移動した酸素及び水素が通路を通って混合する可能性は低い。図６（ｂ）では、仕切り部材によって、縮径部４５の上部に通路が形成されている。この例では、上方に移動した酸素及び水素が多大となると、通路を通って混合する可能性が高くなる。従って、使用状況や酸素と水素の混合の度合いのニーズに対応して、所望の通路の位置を形成するような仕切り部材の設計が可能となる。
【００６０】  図７に、本発明の電気分解式水素及び酸素ガス吸引具の、仕切り部材５０の他の実施形態を示す。図７（ａ）、（ｂ）、（ｃ）は、いずれも図２（ｃ）のラインＡ−Ａに沿った断面図のうち、仕切り部材５０について示している。図７（ａ）は上部に縮径部４５の上部と同様の傾斜を有し、下部にくびれ形状を有する仕切り部材５０を示し、くびれから一対の電極１７の流体的な接続を可能としている。図７（ｂ）は同様の傾斜と、下部に略矩形の穴５０ａ備えた仕切り部材５０を示し、穴５０ａから一対の電極１７の流体的な接続を可能としている。図７（ｃ）は同様の傾斜と、下部に略円形の穴５０ａを複数備えた仕切り部材５０を示し、穴５０ａから一対の電極１７の流体的、気体的な接続を可能としている。仕切り部材５０は、ここで示した例に限らず、一対の電極１７の流体的な接続を可能にする自由な形状が採用される。また、図７では、縮径部４５の上部が傾斜している場合の実施例を示したが、縮径部４５の上部は傾斜しない又はその他の形状を採用する場合は、仕切り部材５０の上部も縮径部４５の上部と同様の形状となる。
【００６１】  次に、水素及び酸素を選択的に取得するための開閉手段５２について図８〜１０を用いて説明する。なお、図１〜３の電気分解式水素及び酸素ガス吸引具の実施例では、縮径部４５において遮水板４５ｄが配設されており、開口４５ｃは傾斜しているが、これらの構成を備えなくてもよく、図８では、遮水板４５ｄを備えず、開口４５ｃも傾斜していない実施例について説明する。
【００６２】  図８（ａ）は、本発明の電気分解式水素及び酸素ガス吸引具の、電解槽の下部分（縮径部４５）の開口の天面図を示している。先述したように、仕切り部材５０によって開口４５ｃは開口４５ｃ１及び４５ｃ２に分断され、それぞれ、略矩形の開口形状となる。ここで、開口４５ｃ１、４５ｃ２及び仕切り部材５０の紙面横方向の長さをそれぞれｄ１、ｄ２及びｄ３とし、開口４５ｃ１（４５ｃ２）及び縮径部４５の紙面縦方向の長さをｄ４、ｄ５とする。図８（ｂ）は開閉手段５２を示しており、開閉手段５２は、略矩形の遮蔽部５４の一辺に操作スイッチ５６が連結して構成される。遮蔽部５４を開口４５ｃ１又は４５ｃ２に対してＯ−リング等により気密性（水密性）を備えつつ当接することで、各開口からの酸素又は水素の通過を防止することができる。ここで、遮蔽部５４の操作スイッチ５６が連結する辺の長さをｄ‘１とし、これの隣の辺の長さをｄ’２とする。
【００６３】  開閉手段５２の距離ｄ’１は、ｄ’１＜ｄ１＋ｄ２＋ｄ３、ｄ’１＞ｄ１＋ｄ３及びｄ’１＞ｄ２＋ｄ３を満たし、距離ｄ’２は、ｄ’２＜ｄ５及びｄ’２＞ｄ４を満たす。本構成により、図８（ｃ）に示すように水素及び酸素の選択が可能となる。図８（ｃ）は、図８（ａ）の開口（４５ｃ１、４５ｃ２）に対し、上方から図８（ｂ）の開閉手段５２を取り付けた図であり、操作スイッチ５６は、縮径部４５の外部へと突出しており、操作スイッチ５６を紙面横方向にスライドさせることで、遮蔽部５４を横方向にスライドさせることが可能となる。図８（ｃ）の例では開閉手段５２が仕切り部材５０の上方に位置する例を示しており、この場合、開口４５ｃ１及び４５ｃ２はいずれも遮蔽部５４によって完全に閉じられることはないため、電極１７から発生した水素及び酸素はいずれも開口４５ｃ１及び４５ｃ２を通過し、縮径部４５の上方（電解槽の上部）へと移動することとなる。ここで、操作スイッチ５６を紙面左方向にスライドさせ、遮蔽部５４で開口４５ｃ１を閉じると、水素（酸素）のみが電解槽の上部へと移動する。逆に操作スイッチ５６を紙面右方向にスライドさせ、遮蔽部５４で開口４５ｃ２を閉じると、酸素（水素）のみが電解槽の上部へと移動する。操作スイッチ５６は、遮蔽部５４が縮径部４５内に存在する範囲でスライドさせることができる。
【００６４】  図９（ａ）は、本発明の電気分解式水素及び酸素ガス吸引具の、電解槽の下部分（縮径部４５）の開口の天面図であり、開閉手段５２の他の実施例を示している。縮径部４５の上端が、略楕円の開口４５を備える上面を形成し、仕切り部材５０によって開口４５は開口４５ｃ１及び４５ｃ２に分断されている。開口４５は、縮径部４５の上面の中央よりも紙面上方に配設される。ここで、縮径部４５の中央と開口４５ｃ１の紙面左端とを結ぶ直線と、縮径部４５の中央と仕切り部材５０の紙面左端とを結ぶ直線と、の成す角度をθ１とし、縮径部４５の中央と仕切り部材５０の紙面左端とを結ぶ直線と、縮径部４５の中央と仕切り部材５０の紙面右端とを結ぶ直線と、の成す角度をθ２とする。
【００６５】図９（ｂ）は開閉手段５２の他の実施例を示しており、開閉手段５２は、略楕円の開口５８を有する略円形の遮蔽部５４の外周に操作スイッチ５６が連結して構成される。遮蔽部５４の中央には回転軸６０が配設され、操作スイッチ５６は、開口５８と回転軸６０を介して向かい合って遮蔽部５４の外周に配置される。開口５８は、仕切り部材５０の幅よりも大きい開口幅を有する。遮蔽部５４を開口４５ｃ１又は４５ｃ２に対してＯ−リング（図示せず）により気密性（水密性）を備えつつ当接することで、各開口からの酸素又は水素の通過を防止することができる。ここで、回転軸と開口５８の紙面左端（右端）とを結ぶ直線と、回転軸と操作スイッチ５６とを結ぶ直線と、の成す角度をθ‘１とする。また、操作スイッチを紙面左右に下に凸の曲線移動をさせることで、回転軸６０を中心として遮蔽部５４を回転させることができる。この操作スイッチの曲線移動（回転移動）の角度をθ’２とする。
【００６６】  図９（ｃ）は、図９（ａ）の開口（４５ｃ１、４５ｃ２）に対し、上方から図９（ｂ）の開閉手段５２を取り付けた図であり、操作スイッチ５６は、縮径部４５の外部へと突出しており、操作スイッチ５６を回転させることで、遮蔽部５４を回転軸６０に対して回転させることが可能となる。図９（ｃ）の例では開閉手段５２の開口５８が仕切り部材５０の上方に位置する例を示しており、この場合、開口４５ｃ１及び４５ｃ２はいずれも遮蔽部５４によって完全に閉じられることはないため、電極１７から発生した水素及び酸素はいずれも開口４５ｃ１及び４５ｃ２を通過し、縮径部４５の上方（電解槽の上部）へと移動することとなる。ここで、操作スイッチ５６を紙面右方向に回転させ、遮蔽部５４で開口４５ｃ２を閉じると、酸素（水素）のみが電解槽の上部へと移動する。逆に操作スイッチ５６を紙面右方向に回転させ、遮蔽部５４で開口４５ｃ１を閉じると、水素（酸素）のみが電解槽の上部へと移動する。操作スイッチ５６は、開口４５ｃ１又は４５ｃ２の少なくとも一方を遮蔽部５４が閉じる範囲内で回転させることができ、開口５８が左右対称の楕円であり、開口５８の中央に、開口５８から覗くように仕切り部材５０が配置される場合では、仕切り部材５０と回転軸を介して向かい合う位置の操作スイッチは、左右に、θ’２＞θ‘１＋θ２及びθ’２＜θ‘１＋θ１＋θ２の範囲でスライドさせることができる。
【００６７】  なお、本発明の電気分解式水素及び酸素ガス吸引具の使用状況を想定すると、利用頻度が高い水素のみが通過できるように、酸素側の開口４５ｃ１（４５ｃ２）を閉じる設定（図８（ｃ）であれば操作スイッチ５６を左にスライドさせた状態）を初期設定としてもよい。
【００６８】  次に、図１０を用いて、本発明の電気分解式水素及び酸素ガス吸引具の開閉手段５２と縮径部４５の上部（上面）の他の実施例について説明する。図１０（ａ）及び（ｂ）は、開閉手段５２の他の実施例であり、図９（ｂ）のような操作スイッチ５６を回転移動させる構成である。図１０（ａ）に示す開閉手段５２では、開口５８が、回転軸６０周りを囲むように湾曲する帯形状である。図１０（ｂ）に示す開閉手段５２では、開口５８が、略半円形状である。そして、図１０（ｃ）及び（ｄ）は、縮径部４５の上部（上面）の他の実施例である。図１０（ｃ）では、縮径部４５の上部（上面）が略円形の面であり、面上中心を外して、略楕円の開口４５ｃが配置され、開口４５ｃは仕切り部材５０によって開口４５ｃ１及び４５ｃ２に分断されているものが示されている。本構成は、図９（ｂ）等の操作スイッチ５６を回転移動させる構成の開閉手段５２とともに採用できる。図１０（ｄ）では、縮径部４５の上部（上面）が略円形の面であり、面上略中心に、略矩形の開口４５ｃが配置され、開口４５ｃは仕切り部材５０によって開口４５ｃ１及び４５ｃ２に分断されているものが示されている。本構成は、図８（ｂ）等の操作スイッチ５６を横移動させる構成の開閉手段５２とともに採用できる。
【００６９】  上述のように開閉手段５２、縮径部４５の上部、及び開口４５について説明したが、図や説明で示した例以外においても、２つの開口４５ｃ１及び４５ｃ２を選択的に開閉することができればよく、開閉手段５２の開口５８の形状や場所、操作スイッチ５６の形状や機構、縮径部４５の上部の形状、及び開口４５の形状や場所について、広く一般化して採用しうる。
【００７０】  また、操作スイッチ６０は図８〜１０の例では縮径部４５の外部（本体の側面）へと突出しており、使用者の手技による操作を想定しているが、操作スイッチを設けず、制御板を介して電磁的にスイッチ操作を行っても良い。その際は、ステッピングモータ等を採用しうる。また、図８〜１０に示すような板形状の開閉手段５２を、開口４５に対して平面移動させる構成ではなく、開口４５に対して扉の開閉を行うような構成（例えば電磁弁）を採用しても良い。その他、開閉手段において、開閉選択の初期設定位置に向かう付勢力を設けてもよく、操作により付勢力に反する力を加え、開閉の設定をスイッチするとしてもよい。
【００７１】  さらに、第二の本発明の水素及び酸素ガス吸引具では、開閉手段を用いず水素又は酸素を摂取できるような極性反転手段（極性反転回路）を有する構成も考えられる。以下、例示説明する。
【００７２】  具体的には、図１１に第二の本発明の水素及び酸素ガス吸引具の実施形態が図４〜図５の変形例として示されており、図１２〜図１３は極性反転回路の例が示されている。  図１１に示すように電解槽１０の縮径部４５の上方の開口４５ｃ１と開口４５ｃ２の一方を仕切り板５０の上端まで閉鎖板５３により閉鎖し、電解槽１０の上方と気体的に接続させない。図１１（ａ）の状態では電極１７ａが陽極であり、陽極の電極１７ａから酸素が発生し閉鎖板５３の下面に貯留して上方に放出されない様子が示されている。一方、電極１７ｂは陰極であり、陰極の電極１７ｂから水素が発生し開口４５ｃ２から上方に放出されている様子が示されている。
【００７３】  また、図１１（ｂ）では後述する極性反転回路により電極１７ａ、１７ｂの極性が図１１（ａ）から反転された状態を示している。すなわち、電極１７ａが陰極に反転しており、陰極の電極１７ａから水素が発生して閉鎖板５３の下面に貯留している。一方、陽極の電極１７ｂから酸素が発生し開口４５ｃ２から上方に放出されている。
【００７４】  このように極性反転回路により電極１７ａ、１７ｂの極性が反転すると各電極１７ａ、１７ｂから発生する水素と酸素とが入れ替わり、開口４５ｃ１、４５ｃ２のいずれかを閉鎖しておくと電解槽１０上方へ放出される気体も水素か酸素かいずれか一方のみとなる。
【００７５】  なお、図１１（ａ）から（ｂ）への変化は極性反転回路により行われるが、極性が反転した直後には水素発生と酸素発生とが入れ替わる時間を要するため両電極１７ａ、１７ｂから気体を発生させない短時間が存在する。その結果、極性反転回路を水素発生又は酸素発生のブレーキの役割に活用することもでき、水素又は酸素の発生量・発生時間を精緻なコントロールすることができる。したがって、上述してきた開閉手段５２を用いた場合であっても極性反転回路を併用すると有利である。
【００７６】  次に、極性反転回路について説明する。図１２〜図１３には２つの極性反転回路が例示されている。極性反転回路は電極１７（１７ａ、１７ｂ）への電力供給を直接又は間接的に行う制御基板３３、４２（図１参照）が有する場合、又は制御基板３３、４２から電極１７までの間に別途、接続する場合が考えられる。
【００７７】  図１２（ａ）（ｂ）の極性反転回路は、オルタネイト方式のスイッチをＯＮするごとに極性を切り替える方式であり、（ａ）極性反転前、（ｂ）は極性反転後を示している。上述するようにオルタネイト方式のスイッチとは、ボタンを押した後に手を放してもＯＮ状態を保持する方式であり、この場合、一旦ボタンを押してＯＮにするとそのまま水素又は酸素を放出し続け、再度、ボタンを押すと酸素を放出することができる。
【００７８】  具体的には、図１２（ａ）の状態では、陽極である接点ａ１は接点ａ３に、陰極である接点ａ２は接点ａ５に接続されており、接点ａ１〜ａ３〜ａ７〜それ以降（図中右側）まで陽極、接点ａ２〜ａ５〜ａ８〜それ以降（図中右側）まで陰極である。この状態から極性反転しスイッチが作動すると図１２（ｂ）の状態に切り替わり、陽極である接点ａ１が接点ａ４に、陰極である接点ａ２は接点ａ６に接続される。その結果、接点ａ１〜ａ４〜ａ８〜それ以降（図中右側）まで陽極、接点ａ２〜ａ６〜ａ７〜それ以降（図中右側）まで陰極に極性反転する。
【００７９】  また、図１３は、ＯＮ−ＯＦＦ−ＯＮに切り替えることで極性を切り替える極性反転回路である。この極性反転手段では、ＯＦＦの場合、陽極である接点ｂ１は接点ｂ３〜ｂ４の間にあり、陰極である接点ｂ２は接点ｂ５〜ｂ６の間に位置しており、非接続の状態にある。スイッチをＯＮに作動し接点ｂ１とｂ２とがそれぞれ接点ｂ３とｂ５とに接続すると、陽極である接点ｂ１が接点ｂ３〜ｂ７〜それ以降（図中右側）まで接続し、陰極である接点ｂ２が接点ｂ５〜ｂ８〜それ以降（図中右側）まで接続する。そして、スイッチをＯＦＦにし、さらにＯＮに作動すると接点ｂ１とｂ２とがそれぞれ接点ｂ４とｂ６とに接続し、陽極である接点ｂ１が接点ｂ４〜ｂ８〜それ以降（図中右側）まで陽極、陰極である接点ｂ２が接点ｂ６〜ｂ７〜それ以降（図中右側）まで接続して極性が反転する。
【００８０】  図１３の極性反転回路のスイッチは図１１〜図１２のようなオルタネイト方式でも良いが、ボタンを押している間のみＯＮとなるモメンタリー方式、又はモメンタリー方式とオルタネイト方式との併用、でも良い、ＯＮ＝オルタネイト方式、（ＯＮ）＝モメンタリー方式とすると、（１）ＯＮ−ＯＦＦ−ＯＮ、（２）ＯＮ−ＯＦＦ−（ＯＮ）、（３）（ＯＮ）−ＯＦＦ−（ＯＮ）、が考えられる。
【００８１】  以上、本発明の水素及び酸素ガス吸引具についてその実施形態を例示説明してきたが、本発明はこれに限定されるものではなく、特許請求の範囲および明細書等の記載の精神や教示を逸脱しない範囲で他の変形例や改良例が得られることが当業者は理解できるであろう。
【産業上の利用可能性】
【００８２】  本発明の電気分解式水素及び酸素ガス吸引具によれば、ユーザが携帯して自由に持ち運べるように充電式で電池を小型かつ安価でありながらも電池内蔵するスペースの確保や電解槽・電池間の遮水を確保し、さらに電解槽内の水分が減った状態で傾斜しても十分な水素ガス発生量を確保することができる。
【符号の説明】
【００８３】１００      電気分解式水素及び酸素ガス吸引具１          本体カバー  ２          混合器１３      水素通過部材１３ａ    フィルム素材（通気性不浸透性材料）１４      アンプル部１５      蓋部材１６      金属材料１７      容器本体部１８      水溶液１９      閉鎖部材２０      水素２２      非反応部２４      金属粒子層４０      凸形状部４１      薄肉部５０      仕切り部材５２      開閉手段５３      閉鎖板５４      遮蔽部５６      操作スイッチ５８      開口６０      回転軸１００、２００  水素及び酸素ガス吸引具１０２  吸引具本体部１０４  吸引外套部１０５  キャップ部材    １０６、２０６  連結部１０８、２０８  吸口部材１１０、２１０  フィルムパッキン１１２  調整弁１１３、２１３  ウィンドウ１１４  調整口１１６  カートリッジ１１７、２１７  空隙１１８  Ｏリング 
【図１】
0006530151.tif 000002
【図２】
0006530151.tif 000003
【図３】
0006530151.tif 000004
【図４】
0006530151.tif 000005
【図５】
0006530151.tif 000006
【図６】
0006530151.tif 000007
【図７】
0006530151.tif 000008
【図８】
0006530151.tif 000009
【図９】
0006530151.tif 000010
【図１０】
0006530151.tif 000011
【図１１】
0006530151.tif 000012
【図１２】
0006530151.tif 000013
【図１３】
0006530151.tif 000014